(57)【要約】【課題】製造コストを抑えることが可能な情報端末を提供する。【解決手段】チケットプリンタ２３８は紙葉処理装置２４０の上部に保持され、チケットプリンタ２３８のチケット排出口３０１より排出されるチケット等が案内されるガイド５０１と紙葉処理装置の投入口４０１とは、所定の角度を有した状態で保持される。チケットプリンタ２３８により印刷されたチケット等は、チケットプリンタ２３８のチケット排出口３０１から、ガイド５０１を介してベゼル２０６の開口部２０６ａに提供される。一方、紙葉処理装置２４０に投入される紙葉は、ベゼル２０６の開口部２０６ａから、紙葉処理装置の投入口４０１に提供される。【選択図】図８
2016151944.tif 000002
【特許請求の範囲】
【請求項１】
排出口から印刷物を排出するプリンタと、
投入口から紙葉が投入される紙葉処理装置と、
前面に開口した開口部と、を備え、
前記排出口と前記投入口とを共通の前記開口部に案内させ、前記開口部を介して前記印刷物の排出を行い、前記開口部を介して前記紙葉が投入される、
ことを特徴とする情報端末。
【請求項２】
前記排出口から前記開口部まで前記印刷物を通過させる排出経路と、前記開口部から前記投入口まで前記紙葉を通過させる投入経路とが、所定の角度を有するように配置される、
ことを特徴とする請求項１に記載の情報端末。
【請求項３】
前記排出経路は、前記投入経路の上方に配置され、かつ前記開口部に向かって傾斜して配置される、
ことを特徴とする請求項２に記載の情報端末。
【請求項４】
前記プリンタの処理、および前記紙葉処理装置の処理に関連した報知を行うよう制御された単一の報知部をさらに備える、請求項１に記載の情報端末。
【発明の詳細な説明】
【技術分野】
【０００１】
本発明は、各種情報の入出力を可能とした情報端末に関する。
【背景技術】
【０００２】
従来より、遊技場等において、経済的価値を有する、バーコード付きクーポン券等を印刷するプリンタ（チケットプリンタ）と、紙幣等を読み込んで、その真贋を判定し、正規の紙幣であった場合に、その経済的価値に相当するクレジットを付与するビルバリデータとを備えたゲーミングマシンが知られている。このようなゲーミングマシンにおいて、例えば、プリンタはゲーム表示画面の上方左側に設けられ、一方、ビルバリデータは、ゲーム表示画面の下方に配置された操作パネルの右側に設けられている（特許文献１参照）。
【０００３】
このように、一般的には、プリンタにより印刷されたクーポン等が排出される排出口と、ビルバリデータに対して紙幣等を投入するための投入口は、大きく離れた位置に、それぞれ別体として構成されている。
【先行技術文献】
【特許文献】
【０００４】
【特許文献１】米国特許出願公開第２０１１／０２０１４０９号明細書
【発明の概要】
【発明が解決しようとする課題】
【０００５】
しかしながら、所定の情報をユーザに提供する情報端末において、プリンタにより印刷されたクーポン等が排出される排出口と、ビルバリデータ等の紙葉処理装置に対して紙幣等を投入するための投入口を個別に構成すると、製造コストが上昇する可能性がある。
【０００６】
したがって、本発明の目的は、製造コストを抑えることが可能な情報端末を提供することである。
【課題を解決するための手段】
【０００７】
本発明は、以下のような情報端末を提供する。
【０００８】
本発明の第１の実施態様に係る情報端末は、下記の構成を有する。
排出口から印刷物を排出するプリンタ（例えば、チケットプリンタ２３８）と、
投入口から紙葉が投入される紙葉処理装置（例えば、紙葉処理装置２４０）と、
前面（例えば、キオスク端末２００の前面に配置されたフロントパネル２１４ａ）に開口した開口部（例えば、ベゼル２０６の開口部２０６ａ）と、を備え、
前記排出口と前記投入口とを共通の前記開口部に案内させ、前記開口部を介して前記印刷物の排出を行い、前記開口部を介して前記紙葉が投入される、
ことを特徴とする情報端末（例えば、キオスク端末２００）。
【０００９】
このような構成により、プリンタの排出口と紙葉処理装置の投入口が、前面に設けられた共通の開口部に案内するように構成されるため、情報端末の前面部分がシンプルに構成されるようになり、製造コストの上昇を抑えることが可能となる。
【００１０】
本発明の第２の実施態様に係る情報端末は、第１の実施態様においてさらに下記の構成を有する。
前記排出口から前記開口部まで前記印刷物を通過させる排出経路（例えば、図８に示す、ガイド５０１およびチケット排出口３０１を通過する、点線矢印Ｂで表される経路）と、前記開口部から前記投入口まで前記紙葉を通過させる投入経路（例えば、投入口４０１を通過する、図８に示す点線矢印Ｃで表される経路）とが、所定の角度（例えば、図８に示す角Ｄ）を有するように配置される。
【００１１】
このような構成により、排出経路と投入経路が所定の角度を有するように配置されるため、投入された紙葉類が誤ってプリンタの排出経路に向けて提供されるといったことを防止でき、紙詰まりを起こすことがなくなる。
【００１２】
本発明の第３の実施態様に係る情報端末は、第２の実施態様においてさらに下記の構成を有する。
前記排出経路は、前記投入経路の上方に配置され、かつ前記開口部に向かって傾斜して配置される。
【００１３】
このような構成により、遊技場の設置スペースを有効に活用することが可能となる。すなわち、情報端末は、複数並べて設置されることが多く、排出経路や投入経路を含む搬送経路を横方向に並べると、情報端末が横方向に大型化し、設置スペースの増加に繋がる。そこで、縦方向に上記搬送経路を配置することにより、無駄な設置スペースをとることが無くなり、遊技場スペースを有効に活用することが可能となる。
【００１４】
本発明の第４の実施態様に係る情報端末は、第１の実施態様においてさらに下記の構成を有する。
前記プリンタの処理、および前記紙葉処理装置の処理に関連した報知を行うよう制御された単一の報知部（例えば、ベゼルＬＥＤ２４２）をさらに備えるように構成される。
【００１５】
このような構成により、プリンタの処理と紙葉処理装置の処理に関連した報知が、共通の報知部によって行われ、ユーザは、プリンタと紙葉処理装置それぞれの処理について情報を得ることができる。
【発明の効果】
【００１６】
本発明に係る情報端末の構成により、プリンタと紙葉処理装置を異なる別個の装置として保持しながら、プリンタの排出口と紙葉処理装置の投入口が、前面に設けられた共通のベゼルに接続するよう構成されるため、情報端末の前面部分がシンプルに構成されるようになり、製造コストの上昇を抑えることが可能となる。
【図面の簡単な説明】
【００１７】
【図１】本発明の一実施形態に係るキオスク端末の全体構造を示す図である。
【図２】本発明の一実施形態に係るキオスク端末の回路構成を示す図である。
【図３】本発明の一実施形態に係るキオスク端末におけるチケットプリンタ／ビルバリの位置を示す側面図である。
【図４】本発明の一実施形態に係るキオスク端末におけるチケットプリンタ／ビルバリの位置を示す正面図である。
【図５】本発明の一実施形態に係るキオスク端末におけるチケットプリンタ／ビルバリの構成を詳細に示す側面図である。
【図６】本発明の一実施形態に係るキオスク端末のパネル、ベゼル、ガイド、およびチケットプリンタ／ビルバリを分解した状態を示す分解斜視図である。
【図７】本発明の一実施形態に係るキオスク端末におけるチケットプリンタ／ビルバリの構成をより詳細に示す側面図である。
【図８】本発明の一実施形態に係るキオスク端末におけるパネル、ベゼル、ガイド、およびビルバリの投入口の位置関係を示すための断面図である。
【図９】本発明の一実施形態に係るキオスク端末において、チケットプリンタから排出される印刷物の反りを説明するための断面図である。
【図１０】本発明の一実施形態に係るキオスク端末において、中部フロントドアが引き出された状態を示す側面図である。
【図１１】本発明の一実施形態に係るキオスク端末において、中部フロントドアが引き出された状態を示す上面図である。
【図１２】本発明の一実施形態に係るキオスク端末のカードユニットを示す斜視図である。
【図１３】本発明の一実施形態に係るキオスク端末において、上部フロントドアが開放された状態を示す側面図である。
【図１４】本発明の一実施形態に係るキオスク端末において使用されるケーブルガイドの構成を示す図である。
【図１５】本発明の一実施形態に係るキオスク端末において、中部フロントドアが取り外された状態を示す斜視図である。
【発明を実施するための形態】
【００１８】
本発明の一実施形態の情報端末について、図面に基づいて説明する。なお、本実施形態では、情報端末の一つであるキオスク端末を例にとって説明する。
【００１９】
［キオスク端末の構成］
図１には、本実施形態に係るキオスク（ＫＩＯＳＫ）端末２００が示されている。キオスク端末２００は、例えば、様々な店舗に設置され、顧客に対して有用な情報を表示等するために用いられる情報端末であり、ネットワークを介してその店舗が運営・管理するコンピュータ等に接続されうる。なお、本明細書では、ユーザに対して何らかの情報を提供する装置を情報端末とし、本実施形態に係るキオスク端末２００や、パチンコ、パチスロ等を含むゲーミングマシンも、この情報端末に含まれる。
【００２０】
また、図１では、キオスク端末２００の上部に、ＬＣＤ２５０、およびＬＣＤ２５１が配置される。この例では、ＬＣＤ２５０、およびＬＣＤ２５１は、タッチパネル機能を有し、キオスク端末２００に接続され、必要に応じて様々な情報を表示するよう制御される。
【００２１】
また、ＬＣＤ２５０やＬＣＤ２５１に代えて、紙製の広告表示板を配置し、電子的に表示内容が変化しない非電子的な情報を表示するように構成することもできる。このような広告表示板は、店舗のスタッフ等の手によって、他の情報板に容易に取り替えができる。
【００２２】
キオスク端末２００の筐体は、その前面上部に、ＬＣＤ２０１を有する上部フロントドア２１３を備え、前面中部に、フロントパネル２１４ａ、およびコントロールパネル２１４ｂを有する中部フロントドア２１４を備え、前面下部に下部フロントドア２１５を備える。
【００２３】
なお、本明細書における「ドア」は、ヒンジ等によって形成される垂直方向の回転軸を中心に左右に回転するドアに限らず、ヒンジによる水平方向の回転軸を中心にはね上げられる（または、下げられる）もの、レールガイドに沿って水平方向に引き出されるもの、単に本体から取り外されるもの等、様々な形態のドアを含むものである。
【００２４】
ＬＣＤ２０１は、タッチパネル機能を有する液晶表示装置であり、このＬＣＤには、例えば、店舗に関する情報等が表示される。なお、この例では、ＬＣＤ２０１がタッチパネル機能を有するように構成されるが、後述するキーボード２０９やテンキーパッド２１０のような他の入力装置によって指示入力を行うようにしてもよい。
【００２５】
さらに、キオスク端末２００は、ＬＣＤ２０１の上下に、それぞれモーションセンサ２０２、２０３を備えている。モーションセンサ２０２、２０３は、例えば、カメラであり、モーションセンサ２０２、２０３により撮像された映像を用いて、キオスク端末２００のユーザや、通路を通行する顧客の行動を解析する。
【００２６】
中部フロントドア２１４のフロントパネル２１４ａには、タッチユニット２０４が配置されており、タッチユニット２０４は、非接触ＩＣカードやＮＦＣによる通信機能を備えた携帯電話やスマートフォンとデータ通信を行うことが可能なＲＦＩＤモジュールを含んでいる。店舗の会員は、その会員と紐付けられた会員カード（ＩＣカード）をこのタッチユニット２０４にかざすことによりログインすることができ、そこで会員用のメニュー画面や、その会員に関する情報を、ＬＣＤ２０１に表示させることができる。
【００２７】
また、タッチユニット２０４の他に、あるいはタッチユニット２０４に替えて、磁気カードのような情報記録媒体に記憶された情報を読み取るための情報記録媒体読取装置を備えるようにしてもよい。この場合、ＩＣカードの代わりに、磁気カードを会員カードとすることができる。
【００２８】
また、店舗のスタッフは、スタッフのＩＣカードをかざすことによってログインし、スタッフ用のメニュー画面等をＬＣＤ２０１に表示させることができる。
【００２９】
中部フロントドア２１４のフロントパネル２１４ａにはさらに、カードユニット２３０のカード挿入口２０５が配置されており、ＩＣカードの挿入・取り出しや、新たに発行されたＩＣカードの排出を行うことができる。また、カード挿入口２０５には、イジェクトボタン２３０ｃが設けられている。ここで、カード挿入口２０５は、カードユニット２３０の一部として構成されている。
【００３０】
会員カードがカード挿入口２０５から挿入された場合、会員用のメニュー画面や、その会員に関する情報を、ＬＣＤ２０１に表示させることができる。また、カードユニット２３０は、特殊カード（例えば、所定の条件でなんらかの付加価値が与えられたＩＣカード）等の発行や、ＩＣカードの回収を行うことができる。
【００３１】
また、中部フロントドア２１４のフロントパネル２１４ａには、チケットプリンタ２３８から排出される印刷物の排出口、および紙葉処理装置２４０に紙葉を投入するための投入に接続される共通のベゼル２０６が配置される。例えば、チケットプリンタ２３８によりチケットやクーポンが印刷（発行）され、排出口に接続されたベゼル２０６から排出される。また、例えば、チケットやクーポンが、投入口に接続されたベゼル２０６から投入されると、紙葉処理装置２４０により、そのチケット等が回収されたり、そのチケットの情報が読み取られた後で、当該読み取られた情報に応じた処理が行われたりする。
【００３２】
また、ベゼル２０６には、チケットプリンタ２３８および紙葉処理装置２４０の処理と連動して点灯するベゼルＬＥＤ２４２が設けられる。なお、紙葉処理装置２４０は、紙幣識別機能を有するビルバリとすることもできる。
【００３３】
また、中部フロントドア２１４から膨出（突出）した膨出部として形成されるコントロールパネル２１４ｂの上面には、ＶｏＩＰによる通話で用いられる受話器２０７が配置されている。キオスク端末２００のユーザは、受話器２０７を介して、他のキオスク端末２００のユーザや店舗のスタッフと会話することができる。また、受話器２０７が載置される載置部に配置された着信ＬＥＤ２０８は、ＶｏＩＰによる通話の着信があった場合に、発光するよう制御される。
【００３４】
さらに、コントロールパネル２１４ｂの上面には、ユーザがデータを入力するのに使用するキーボード２０９とテンキーパッド２１０を備え、さらに、テンキーパッド２１０の両側および上側には、覗き防止のキーパッドガード２１１が設けられている。
【００３５】
キオスク端末２００の下部フロントドア２１５の後ろ（キオスク端末２００の筐体内部）には、後述するキオスク端末コントローラ２２０や、ＬＣＤやＬＥＤ等の制御を行う制御部が収納されている。
【００３６】
［キオスク端末の回路構成］
次に、図２を参照して、キオスク端末２００が備える回路の構成について説明する。
【００３７】
キオスク端末２００を制御するキオスク端末コントローラ２２０は、ＣＰＵ２２１、ＲＯＭ２２２、およびＲＡＭ２２３を有する。
【００３８】
ＣＰＵ２２１は、キオスク端末の各構成部の実行制御を行うとともに、ＲＯＭ２２２に格納された各種プログラムを実行したり、演算したりする。
【００３９】
ＲＯＭ２２２は、フラッシュメモリなどのメモリデバイスからなり、ＣＰＵ２２１により実行される恒久的なデータが記憶されている。例えば、ＶｏＩＰによる通話制御プログラム等が記憶されうる。
【００４０】
ＲＡＭ２２３は、ＲＯＭ２２２に記憶された各種プログラムを実行する際に必要なデータを一時的に記憶する。
【００４１】
外部記憶装置２２４は、例えばハードディスク装置のような記憶装置であり、ＣＰＵ２２１で実行されるプログラムや、ＣＰＵ２２１で実行されるプログラムが利用するデータを記憶する。
【００４２】
ネットワークＩ／Ｆ（インターフェイス）２２５は、店舗のコンピュータやインターネット上のサーバ等とのデータ通信を実現する。
【００４３】
ＬＣＤ制御部２２６は、ＬＣＤ２０１、ＬＣＤ２５０、およびＬＣＤ２５１に様々な情報を表示させるよう制御する。また、ＬＣＤ２０１、ＬＣＤ２５０、およびＬＣＤ２５１のそれぞれはタッチパネル機能を備えており、ユーザによるタッチパネルの操作は、ＣＰＵ２２１に送信される。
【００４４】
モーションセンサ制御部２２７は、モーションセンサ（例えば、カメラ）２０２、２０３から受信したユーザ等の画像を取得し、必要に応じて所定の画像処理を施し、処理後のデータをＣＰＵ２２１に送信する。
【００４５】
タッチユニット制御部２２８は、タッチユニット２０４における、ＩＣカードや携帯電話のタッチ操作に伴うデータ送受信を制御する。タッチユニット制御部２２８は、非接触Ｒ／Ｗ（リーダライタ）制御部２２８ａを備えている。
【００４６】
非接触Ｒ／Ｗ制御部２２８ａは、タッチユニット２０４でＩＣカードや携帯電話のタッチ操作があったか否かを判定し、タッチ操作があった場合に、タッチユニット２０４から読み取り結果等を取得する。タッチユニット２０４は、ＩＣカードや携帯電話との間でＮＦＣ等によりデータ送受信を行うためのアンテナ部を有する。
【００４７】
ＩＣカード制御部２２９は、ＩＣカードの挿入、排出、データの読み取り等を制御する。ＩＣカード制御部２２９は、ＩＣカードＲ／Ｗ（リーダライタ）制御部２２９ａ、ＩＣカード吸入排出制御部２２９ｂを備える。
【００４８】
ＩＣカードＲ／Ｗ制御部２２９ａは、カードユニット２３０を制御して、ＩＣカードに記憶されている識別コード等を読み取る。カードユニット２３０は、ＩＣカードにＮＦＣ等によりデータを書き込むためのアンテナ部を有する。
【００４９】
ＩＣカード吸入排出制御部２２９ｂは、ＩＣカードの吸入および排出の制御を行う。ユーザによってカード挿入口２０５にＩＣカードが挿入されると、ユーザがログオフするまで、ＩＣカードをカードユニット２３０の中に保持するよう制御する。また、イジェクトボタンが押された場合に、ＩＣカードの排出を行う。
【００５０】
また、カードユニット２３０は、所定の条件によって新たにＩＣカードを発行することができるように、複数のＩＣカードを保持することができるスタッカを備える。なお、本実施形態では、カードユニット２３０が、ＩＣカードの吸入、排出、発行等を行っているが、他の媒体（例えば、磁気カード等）を扱うように構成することもできる。
【００５１】
チケットプリンタ制御部２３７は、チケットプリンタ２３８を制御して、チケットやクーポンの印刷（発行）等を行う。
【００５２】
紙葉処理制御部２３９は、紙葉処理装置２４０を制御して、チケットやクーポンの回収や、チケット等から読み取られた情報に応じた処理等を行う。上述のように、紙葉処理制御部２３９と紙葉処理装置２４０が、紙幣を扱うビルバリとして構成されてもよい。
【００５３】
ベゼルＬＥＤ制御部２４１は、チケットプリンタ２３８および紙葉処理装置２４０に接続され、チケットプリンタ２３８および紙葉処理装置２４０の処理と連動して点灯するように、ベゼルＬＥＤ２４２を制御する。例えば、ユーザがキオスク端末２００を操作しているときに、チケットが印刷され排出されるタイミングで、ベゼルＬＥＤ２４２が点灯するように制御され、ユーザにクーポンの投入を促す場合に、そのベゼルＬＥＤ２４２が点灯するように制御される。また、ベゼルＬＥＤ２４２の点灯態様はどのようなものであってもよい。
【００５４】
ここで、ベゼルＬＥＤ２４２の点灯態様を、チケットプリンタ２３８の処理に関連するものか、紙葉処理装置２４０の処理に関連するものかで、異なるように設定することもできる。
【００５５】
なお、この例では、チケットプリンタ２３８および紙葉処理装置２４０の処理と連動して、ベゼルＬＥＤ２４２が点灯するように構成されるが、ユーザへの報知を行うために、ベゼルＬＥＤ２４２とは異なる別の報知手段を用いてもよい。
【００５６】
音声制御部２３３は、受話器２０７に含まれるマイク２３４、およびスピーカ２３５を使用して、音声入出力を行う。音声制御部２３３は、ＤＳＰ２３３ａ、およびＬＥＤ制御部２３３ｂを備える。ＤＳＰ２３３ａは、マイク２３４からの音声入力とスピーカ２３５からの音声出力に関し、所定の音声信号処理を行って制御する。ＬＥＤ制御部２３３ｂは、ＶｏＩＰ通話等による着信信号に基づいて、着信ＬＥＤ２０８を発光させるよう制御する。
【００５７】
入力制御部２３６は、ユーザからのキーボード２０９の入力やテンキーパッド２１０の入力を信号化してＣＰＵ２２１に送信する。
【００５８】
［チケットプリンタと紙葉処理装置の構成］
図３は、キオスク端末２００の右側面を示す側面図である。図３は、チケットプリンタ２３８、および紙葉処理装置２４０が、キオスク端末２００の筐体内部において、どの位置に収納されているが示すための図であり、図３の斜線部２４１ａが、チケットプリンタ２３８、および紙葉処理装置２４０を含む装置のシルエットとなっている。なお、斜線部２４１ａには、キオスク端末２００の外部から視認可能なベゼル２０６も含まれている。
【００５９】
キオスク端末２００は、図１に示したものと同じものであり、キオスク端末２００の上側に、ＬＣＤ２５０およびＬＣＤ２５１が配置されている。また、キオスク端末２００の前面上部に上部フロントドア２１３が備えられ、前面中部に中部フロントドア２１４が備えられ、前面下部に下部フロントドア２１５が備えられている。
【００６０】
図３ではさらに、中部フロントドア２１４から膨出するコントロールパネル２１４ｂが示されており、このコントロールパネル２１４ｂの端部には、サイドクッション２１４ｃが設けられている。
【００６１】
また、図３には、コントロールパネル２１４ｂの上面に設けられている受話器２０７およびキーパッドガード２１１が示されている。
【００６２】
図４は、キオスク端末２００の前面を示す正面図である。図４は、チケットプリンタ２３８、および紙葉処理装置２４０が、キオスク端末２００の筐体内部において、どの位置に収納されているかを示すための図であり、図４の斜線部２４１ｂが、チケットプリンタ２３８、および紙葉処理装置２４０を含む装置のシルエットとなっている。
【００６３】
なお、図４に示すキオスク端末２００は、図３に示すキオスク端末２００と同じものであり、キオスク端末２００の上側に、ＬＣＤ２５０およびＬＣＤ２５１が配置されている。また、キオスク端末２００の前面上部に上部フロントドア２１３が備えられ、前面中部に中部フロントドア２１４が備えられ、前面下部に下部フロントドア２１５が備えられている。
【００６４】
中部フロントドア２１４の下部には、鍵穴２１４ｆが配置され、鍵穴２１４ｆに鍵を挿入してロックを解除することにより、この中部フロントドア２１４を、キオスク端末２００の前面側（図３の矢印Ｒ１の方向）に引き出すことができる。
【００６５】
なお、下部フロントドア２１５は、中部フロントドア２１４を引き出すことにより、その上面が露出され、当該上面には、下部フロントドア２１５をキオスク端末２００の筐体から取り外すための鍵（例えば、上述した、中部フロントドア２１４の鍵とは異なる鍵）を挿入する鍵穴２１５ａ（図１０、図１１、図１５参照）が配置されている。すなわち、下部フロントドア２１５は、中部フロントドア２１４を引き出した後でないと取り外すことができない構成となっている。
【００６６】
上部フロントドア２１３は、後述のように、上部フロントドア２１３の上端部とキオスク端末２００の上端部とがヒンジで接続され、当該接続部を回転軸として、上部フロントドア２１３の下端部が上方向に跳ね上がるように開放される（図３の矢印Ｒ２の方向）。ただし、本実施形態では、上部フロントドア２１３の下端部の一部が中部フロントドア２１４にロックされており、中部フロントドア２１４が引き出された場合にのみ、開放されるように構成される。
【００６７】
また、中部フロントドア２１４には、コントロールパネル２１４ｂ（図３参照）が配置され、コントロールパネル２１４ｂの両側の端部にはサイドクッション２１４ｃが設けられている。コントロールパネル２１４ｂの上面には、受話器２０７、およびキーパッドガード２１１が配置されている。
【００６８】
次に、図５を参照して、チケットプリンタ２３８、および紙葉処理装置２４０の構成をより詳細に説明する。図５に示すベゼル２０６、ガイド５０１、チケットプリンタ２３８、および紙葉処理装置２４０が、図３に示した斜線部２４１ａ、および図４に示した斜線部２４１ｂに対応する。また、図５には、ベゼル２０６の一部をキオスク端末２００の前面に突出させるベゼル開口部を備えたフロントパネル２１４ａが示されている。
【００６９】
紙葉処理装置２４０は、図５に示すように、投入口４０１を備え、左右に備えられたプリンタ支持体４０２によって、チケットプリンタ２３８を、紙葉処理装置２４０の上方に、所定の角度で支持する。投入口４０１は、ベゼル２０６の開口部に連結され（または近接して配置され）、ベゼル２０６の開口部を介してキオスク端末２００の外部（前面方向）から紙葉が投入された場合に、この紙葉を受け取り、紙葉処理装置２４０の内部に送り入れるようになっている。
【００７０】
チケットプリンタ２３８は、チケット排出口３０１を備え、このチケット排出口３０１が、ベゼル２０６の開口部に向かって斜め下方向に配置されるように、プリンタ支持体４０２により支持される。
【００７１】
チケット排出口３０１は、ベゼル２０６の開口部に向かって斜め下方向に支持されたガイド５０１の上側開口部に連結され（または近接して配置され）、ガイド５０１の下側開口部は、ベゼル２０６の開口部に連結され（または近接して配置され）、チケットプリンタ２３８によって印刷され供出されたチケット等が、ベゼル２０６の開口部から紙葉処理装置２４０の外部（前面方向）に排出される。
【００７２】
この場合、チケット排出口３０１とガイド５０１は、印刷されたチケット等をベゼル２０６の開口部に向けて排出する排出部を構成する。また、ガイド５０１を備えることなく、チケット排出口３０１をベゼル２０６の開口部に連結する（または近接するよう配置する）こともでき、そのような場合は、チケット排出口３０１が排出部を構成することになる。
【００７３】
図６は、図５に示したフロントパネル２１４ａ、ベゼル２０６、ガイド５０１、チケットプリンタ２３８、および紙葉処理装置２４０を、分解した形態で示す分解斜視図である。
【００７４】
チケットプリンタ２３８は、上述したチケット排出口３０１、印刷紙（例えば、チケット印刷用の折りたたみ紙）を収納する印刷紙トレイ３０２、およびローディングされてきた印刷紙に対して、熱転写方式等により印刷を行うサーマルヘッド３０３を備える。
【００７５】
ガイド５０１の開口部５０１ａは、チケットプリンタ２３８のチケット排出口３０１に連結、または近接して配置され、開口部５０１ｂは、ベゼル２０６の開口部２０６ａに連結、または近接して配置される。チケットプリンタ２３８により印刷され、チケット排出口３０１から排出されたチケット等は、開口部５０１ａに提供され、その後、開口部５０１ｂを介してベゼル２０６の開口部２０６ａからキオスク端末２００の外部に排出される。ベゼル２０６の開口部２０６ａの上側にはウォール部２０６ｂが設けられている。
【００７６】
ガイド５０１には、ＬＥＤテープライト５０１ｃが設けられ、これが、上述のベゼルＬＥＤ２４２に対応し、チケットプリンタ２３８や紙葉処理装置２４０の処理内容に関連して発光するよう制御される。ＬＥＤテープライト５０１ｃの光が投射部５０１ｄに投射されることにより、投射部５０１ｄが発光する。投射部５０１ｄは、ベゼル２０６において視認できるようになっているため、ユーザは、投射部５０１ｄの発光色や発光パターンを見て、チケット等の印刷や紙葉の投入に関するなんらかの情報を得ることができる。
【００７７】
フロントパネル２１４ａには、開口部２１４ｄが設けられ、この開口部２１４ｄから、ベゼル２０６が突出し、これらの部分が、ユーザにより視認可能となる。また、フロントパネル２１４ａには、開口部２１４ｇが設けられ、この開口部２１４ｇからは、カードユニット２３０のカード挿入口２０５が突出するよう配置される。
【００７８】
紙葉処理装置２４０は、上述のように、プリンタ支持体４０２を備え、チケットプリンタ２３８を支持する。また、紙葉処理装置２４０は、キオスク端末２００の前面側に鍵穴４２４を有する扉４２３を備える。鍵を鍵穴４２４に挿入し解錠することによって扉４２３を開放し、紙葉処理装置２４０により回収されたチケット等を取り出すことができる。
【００７９】
次に、図７を参照して、紙葉処理装置２４０の内部構造を概略説明する。図７には、チケットプリンタ２３８、ガイド５０１、および紙葉処理装置２４０が示されており、ここで、紙葉処理装置２４０については、内部構造が分かるように、図４に示す点線Ｈに沿った断面を表した断面図となっている。
【００８０】
紙葉処理装置２４０は、投入口４０１から紙葉が提供されると、その紙葉が搬送路４０３に提供される。投入口４０１の近傍に配置される搬送ローラ４０２ａ、４０２ｂは、通常、上側の搬送ローラ４０２ａが下側の搬送ローラ４０２ｂから離間した状態となっており、紙葉の投入が投入検知センサ４０５等によって検知されると、上側の搬送ローラ４０２ａが下側の搬送ローラ４０２ｂに向けて駆動され、投入された紙葉を挟持するようになっている。
【００８１】
搬送路４０３に沿って搬送される紙葉は、発光部を有した発光ユニット４０７、および搬送路を挟んで発光ユニット４０７に対向する位置に配置された受発光部を有した受発光ユニット４０８によって、紙葉の表面に印刷された情報等が読み取られる。
【００８２】
発光部は、透過用の光源として機能し、例えば、ＬＥＤ素子からなる。受発光部は、例えば、ＣＣＤで構成され、発光ユニット４０７の発光部から照射された光の透過光や、受発光部で照射した光の反射光等を受光し、受光データとして、その輝度に応じた濃淡データや、濃淡データに基づく二次元画像を生成する。
【００８３】
このようにして生成された二次元画像によって、紙葉に印刷された内容を解析し、当該印刷内容に応じた処理を行う。紙葉処理装置２４０がビルバリとして紙幣を扱う場合は、上述の二次元画像に基づいて、紙幣の真贋判定等が行われる。
【００８４】
その後、紙葉は、搬送路４０３に沿って設けられた複数の搬送ローラによって、紙葉処理装置２４０の下部に搬送され、回収される。紙葉処理装置２４０の下部では、積層機構４０９によって、搬送された紙葉が順次、載置プレート４１２に積層される。ここで、載置プレート４１２は、付勢手段４１１を介して、キオスク端末２００の前面から背面に向けて付勢された状態となっている。回収されたチケット等は、扉４２３を開けて取り出すことができる。
【００８５】
図８は、図５に示した、ベゼル２０６付近の領域Ａを拡大して示した図であり、図４に示す点線Ｈに沿った断面を表す断面図となっている。点線矢印Ｂは、チケットプリンタ２３８により印刷されたチケット等が排出されるルート（排出経路）を示したものである。印刷されたチケット等は、チケットプリンタ２３８のチケット排出口３０１から、ガイド５０１の開口部５０１ａに向けて排出され、次に、ガイド５０１の開口部５０１ｂに誘導される。
【００８６】
ガイド５０１では、開口部５０１ａから開口部５０１ｂに向かって先細の（すなわち、テーパ状の）構成となっており（すなわち、チケットプリンタ２３８からベゼル２０６の開口部２０６ａに向かってテーパ状の構成となっており）、チケット等が、ガイド５０１の限定された位置に案内され、排出される。ガイド５０１は、ベゼル２０６の背後（奥側）で、右斜め上方に傾いた状態で設置されている。このような構成により、ガイド５０１の開口部５０１ｂから排出されたチケット等は、ベゼル２０６の開口部２０６ａから外部に排出される。また、このとき、排出されたチケット等が、ベゼルの下部底面２０６ｃに一旦接してから排出される場合もある。
【００８７】
点線矢印Ｃは、紙葉が紙葉処理装置２４０に投入され、取り込まれるルート（投入経路）を示したものである。紙葉は、ユーザによる通常の投入形態では、ベゼル２０６の開口部２０６ａから、ベゼル２０６の開口部２０６ａの底面に対してほぼ水平な角度に案内され、投入される。ベゼル２０６の開口部２０６ａは、紙葉処理装置２４０の投入口４０１の開口部４０１ａと連結され（または、近接して配置され）、ベゼル２０６の開口部２０６ａの下部底面２０６ｃは、投入口４０１の開口部４０１ａの下部底面４０１ｂとほぼ水平で段差なく配置されているため、投入された紙葉は、そのまま、紙葉処理装置２４０の投入口４０１を介して紙葉処理装置２４０の内部に提供される。
【００８８】
紙葉処理装置２４０の投入口４０１は、開口部４０１ａから紙葉処理装置２４０に向かって先細の（すなわち、テーパ状の）構成となっている（すなわち、紙葉処理装置２４０からベゼル２０６の開口部２０６ａに向かって逆テーパ状の構成となっている）。
【００８９】
ガイド５０１が、ベゼル２０６の背後（奥側）で、右斜め上方に傾いた状態で設置され、紙葉処理装置２４０の投入口４０１に対して所定の角度で配置されており、ベゼル２０６の開口部２０６ａの上部が、ウォール部２０６ｂによって制限されている。このように、排出経路と投入経路は、所定の角度を有するように配置されるため、投入されるチケット等が排出経路に誤って提供される（例えば、ガイド５０１の開口部５０１ｂに誤って挿入される）可能性が低減され、紙詰まり等のトラブルが発生する事態を効果的に抑止することができる。また、投入経路は、水平方向（ほぼ水平方向を含む）に配置され、排出経路は、投入経路の上方に配置されるとともに斜め上方から開口部に向かって傾斜して配置されるため、投入されるチケット等が排出経路に誤って提供される（例えば、ガイド５０１の開口部５０１ｂに誤って挿入される）可能性がさらに低減され、紙詰まり等のトラブルが発生する事態を効果的に抑止することができる。
【００９０】
図８に示すように、点線矢印Ｂと点線矢印Ｃは、所定の角度で交差する。すなわち、排出経路と投入経路は、所定の角度を有するように構成される。図８の例では、排出経路と排出の方向を表す点線矢印Ｂと、投入経路と投入の方向を表す点線矢印Ｃのなす角が、角Ｄで表されている。このとき、投入経路は水平方向になるよう構成される（ほぼ水平方向となる構成を含む）。また、このとき、ガイド５０１の開口部５０１ｂは、ベゼル２０６の開口部２０６ａの上部、または、ベゼル２０６の開口部２０６ａの上端より上に配置されることが好ましい。このような構成によって、投入されるチケット等がガイド５０１の開口部５０１ｂに誤って提供される可能性はさらに低くなる。
【００９１】
図９は、ガイド５０１、チケットプリンタ２３８のチケット排出口３０１、および紙葉処理装置２４０の投入口４０１を、図４に示す点線Ｈに沿った断面で表す断面図である。また、点線Ｇは、チケットプリンタ２３８により印刷され、排出されるチケットを表している。このチケットは、チケットプリンタ２３８のサーマルヘッド３０３によって、チケットの上側に熱が加えられて印刷が行われると、図９に示すように、上面側が凸になるように反り、チケットの端部がガイド５０１の下部底面５０１ｅに接した後、ベゼル２０６の開口部２０６ａに案内される。
【００９２】
この例では、図９のように、チケットの上面側が凸になるように反った場合について説明したが、チケットが印刷または排出等の過程でどのように変形しても、当該チケットが、テーパ状に構成されたガイド５０１によって好適にベゼル２０６に向けて案内される。
【００９３】
［中部フロントドアの引き出し機構］
図１０は、中部フロントドア２１４が、キオスク端末２００の前方向（図３に示す矢印Ｒ１の方向）に引き出された状態を示す側面図である。なお、図１０では、説明をわかりやすくするために、サイドパネルを除去した状態のキオスク端末２００を示している。
【００９４】
中部フロントドア２１４は、そこから膨出する膨出部であるコントロールパネル２１４ｂを備え、さらに、キオスク端末２００の背面側に伸びるスライドレール２１４ｅを有している（スライドレール２１４ｅは、左側と右側にそれぞれ１つずつ設けられる）。
【００９５】
スライドレール２１４ｅは、キオスク端末２００の筐体に保持された、対応するレールガイド２１６と嵌合し、中部フロントドア２１４が、図１０のように引き出されると、スライドレール２１４ｅが、対応するレールガイド２１６に沿って移動し、中部フロントドア２１４がキオスク端末２００の筐体に収納されている状態での姿勢を保ったまま、キオスク端末２００の前方に引き出される。
【００９６】
このように、中部フロントドア２１４を引き出すようにすることによって、中部フロントドア２１４の裏面に配置された各種装置や、中部フロントドア２１４の裏側であってキオスク端末２００の筐体の内部にある装置等に対するメンテナンス等の作業を容易に行うことができる。こうした中部フロントドア２１４の開放機構は、キオスク端末２００の左右にスペースがない場合（例えば、左右に、キオスク端末２００や他の装置が近接して配置されている場合や、壁や他の構造物があって空間的に余裕のない場合等）、特に有利である。
【００９７】
例えば、中部フロントドア２１４の左右どちらかにヒンジを設けて横開きの開放機構にすると、上記のような、左右にスペースのない場合に、中部フロントドア２１４を開放することができない。また、中部フロントドア２１４の上端部や下端部にヒンジを設けて、中部フロントドア２１４を上下いずれかの方向に開けるような開放機構にすると、膨出部であるコントロールパネル２１４ｂやコントロールパネル２１４ｂの前面に載置される各種装置のために、十分な開放角度が確保できず、メンテナンス等の作業が困難となる。
【００９８】
図１１は、図１０に示したキオスク端末２００を上方向から見た上面図である。上述のように、左右のスライドレール２１４ｅが、対応するレールガイド２１６に嵌合し、このレールガイド２１６に沿って、中部フロントドア２１４が引き出されていることがわかる。
【００９９】
また、右側のスライドレール２１４ｅの横には、右側のスライドレール２１４ｅに沿って、中部フロントドア２１４に設けられている、キーボード２０９やテンキーパッド２１０等の装置と、キオスク端末２００のキオスク端末コントローラ２２０等を接続するための複数のケーブル２１８が配設されている。キオスク端末コントローラ２２０等は、図１０に示す制御部本体２６１の内部に格納されており、ケーブル２１８は、この制御部本体２６１から中部フロントドア２１４の間に配設される。
【０１００】
これらのケーブル２１８は、図１１に示すケーブルガイド２１９の中にまとめて収納されている。複数のケーブル２１８をこのようにまとめてケーブルガイド２１９の中に収納することにより、多くのケーブル２１８を効率的に管理することができるとともに、中部フロントドア２１４を引き出したり、元に戻したりする際に、ケーブル２１８がスライドレール２１４ｅとレールガイド２１６（図１０参照）の間に挟まったり、中部フロントドア２１４と他の装置の間に挟まったりすることを防止することができる。
【０１０１】
さらに、ケーブルガイド２１９は、変形可能な構成となっているため、中部フロントドア２１４が引き出されて、中部フロントドア２１４に設けられている各装置と、キオスク端末２００のキオスク端末コントローラ２２０等の距離が変化した場合であっても、ケーブル２１８に負担をかけたり、破損させたりすることなく、その動きに追従して変形することが可能である。このようなケーブルガイド２１９の構成については、後で説明する。
【０１０２】
また、図１１には、下部フロントドア２１５の上面が示されている。下部フロントドア２１５の上面は、通常の状態、すなわち、中部フロントドア２１４が開放されていない状態では、露出しておらず、外部からは視認できない部分である。
【０１０３】
さらに、図１０、図１１、および、後述する図１５には、鍵穴２１５ａが示されている。鍵穴２１５ａは、下部フロントドア２１５の上面に配置され、下部フロントドア２１５を取り外すための鍵が挿入される。鍵穴２１５ａは、上述のように、中部フロントドア２１４が引き出された場合にのみ、下部フロントドア２１５の上面に露出するよう構成されている。
【０１０４】
［カードユニットの構成］
次に、図１２を参照して、カードユニット２３０の構成について説明する。カードユニット２３０は、ＩＣカード等が挿入され、また新たなＩＣカード等が排出されるカード挿入口２０５、および挿入されたＩＣカード等の排出を指示するためのイジェクトボタン２３０ｃを備えており、カード挿入口２０５とイジェクトボタン２３０ｃは、フロントパネル２１４ａの開口部からキオスク端末２００の前方向に突出し、ユーザが視認可能で、かつ操作可能な位置に配置される。
【０１０５】
フロントパネル２１４ａの裏側には、ＩＣカード制御部２２９が格納される本体が配置され、マウントベース２３０ｂによって、フロントパネル２１４ａ、または中部フロントドア２１４に保持される。ＩＣカード制御部２２９は、上述したように、ＩＣカードＲ／Ｗ制御部２２９ａ、およびＩＣカード吸入排出制御部２２９ｂを含んでいる。
【０１０６】
カードユニット２３０はさらに、新規にＩＣカード等を発行するために、未発行のカードを複数枚格納するカードスタッカー２３０ａを備える。カードスタッカー２３０ａに未発行のカードを補充する場合、店舗のスタッフは、カードスタッカー２３０ａの上部（矢印Ｅ）、またはカードスタッカー２３０ａの背後（矢印Ｆ）の方向等から、手作業により補充作業を行う。例えば、店舗のスタッフは、カードスタッカー２３０ａの上部に設けられたカバーを取り外してＩＣカードを補充することができる。また、店舗のスタッフは、カードスタッカー２３０ａの背後に設けられたカバーを取り外すことによって、または、カードスタッカー２３０ａの背後からカード収納ケースを引き出すことによって、ＩＣカードを補充することができる。
【０１０７】
したがって、このような補充作業は、図１０に示すように、中部フロントドア２１４が、キオスク端末２００から前方向に引き出された状態で行う必要がある。なお、このとき、カードスタッカー２３０ａにカードを補充する補充作業がやりやすいように、中部フロントドア２１４の引き出し距離は、カードユニット２３０の奥行き長さ（長手方向の距離）より長いことが望ましい。
【０１０８】
［上部フロントドアの開放機構］
図１３は、上部フロントドア２１３が、キオスク端末２００の上方向に跳ね上げられた状態を示す側面図である。なお、図１３では、図１０と同様、説明をわかりやすくするために、サイドパネルを除去した状態のキオスク端末２００を示している。なお、図３に関連して説明したように、本実施形態では、上部フロントドア２１３は、中部フロントドア２１４が引き出されないと、開放されない仕組みとなっているが、ここでは、便宜上、上部フロントドア２１３が、中部フロントドア２１４が引き出されていない状態で開放されるものとする。
【０１０９】
上部フロントドア２１３は、上部フロントドア２１３の上側左右側部のそれぞれにおいて、キオスク端末２００の筐体の対応する左右側部と、ダンパ２１７により接続される。また、上部フロントドア２１３は、上部フロントドア２１３上端で、キオスク端末２００の筐体の上端部とヒンジ２１３ａにより回動可能に保持される。
【０１１０】
このように構成することで、上部フロントドア２１３の下端部を上方に向けて移動させると（図３の矢印Ｒ２）、上部フロントドア２１３の下端部が、ヒンジ２１３ａの回転軸を中心に上方向に回動し、さらに、ダンパ２１７による付勢によって、所定位置まで上部フロントドア２１３の下端部を持ち上げ、その位置で保持する（いわゆる、ハッチバック方式の開放機構）。
【０１１１】
このように、上部フロントドア２１３の下端部を上方に跳ね上げることによって、上部フロントドア２１３に設けられたＬＣＤ２０１や、上部フロントドア２１３の裏側であってキオスク端末２００の筐体の内部にある装置等に対するメンテナンス等の作業を容易に行うことができる。こうした上部フロントドア２１３の開放機構は、キオスク端末２００の左右にスペースがない場合（例えば、左右に、キオスク端末２００や他の装置が近接して配置されている場合や、壁や他の構造物があって空間的に余裕のない場合等）、特に有利である。
【０１１２】
例えば、上部フロントドア２１３の左右どちらかにヒンジを設けて横開きの開放機構にすると、上記のような、左右にスペースのない場合に、上部フロントドア２１３を開放することができない。また、上部フロントドア２１３の下端部にヒンジを設けて、上部フロントドア２１３の上端部を下方向に開けるような開放機構にすると、メンテナンス等の作業が困難となる。
【０１１３】
また、本実施形態では、図１０に示す中部フロントドア２１４の引き出しと、図１３に示す上部フロントドア２１３の上方向への開放を同時に行うことができる。このようなフロントドアの同時開放を行うことにより、より広いメンテナンス作業域を確保することができ、メンテナンス作業をより効率的に行うことができる。
【０１１４】
［ケーブルガイドの構成］
次に、図１４を参照して、変形可能なケーブルガイド２１９の構成について説明する。ケーブルガイド２１９は、プラスチック等で形成された中空の構造物である複数のガイドピース２１９ａからなり、それぞれのガイドピース２１９ａは、一方の端部に、別のガイドピース２１９ａの端部と互いに回転可能に嵌合するための穴部２１９ｂを（左右両側に）備え、他方の端部に、さらに別のガイドピース２１９ａの端部にある穴部２１９ｂと、互いに回転可能に嵌合する凸部２１９ｃを（左右両側に）備える。
【０１１５】
図１４（Ａ）は、上記のようなガイドピース２１９ａの上面図であり、ガイドピース２１９ａの左右両側に、穴部２１９ｂと凸部２１９ｃがそれぞれ設けられている様子が示されている。また、ガイドピース２１９ａは中空の構造であり、ケーブル２１８が、図示するように、ガイドピース２１９ａの中を貫通する。図１４（Ａ）は、上記のようなガイドピース２１９ａの側面図であり、ガイドピース２１９ａの右側に、穴部２１９ｂと凸部２１９ｃが設けられている様子が示されている。
【０１１６】
ケーブルガイド２１９は、これらのガイドピース２１９ａの穴部２１９ｂと凸部２１９ｃを互いに嵌合、連結することにより形成される。このような構成により、ケーブルガイド２１９は、筒状に形成された中空部分にケーブル２１８を通すことによってケーブル２１８を保護し、さらに、回転可能に嵌合するガイドピース２１９ａの穴部２１９ｂと凸部２１９ｃによって、ケーブルガイド２１９が全体として、ガイドピース２１９ａの回転軸に垂直な方向に屈曲可能となり、結果的に、中部フロントドア２１４の移動に追従して変形が可能となる。図１４（Ｃ）は、このようなケーブルガイド２１９を連結して構成したケーブルガイド２１９が示されている。
【０１１７】
また、ガイドピース２１９ａの穴部２１９ｂを、横長の穴や溝として形成し、凸部２１９ｃを嵌合させると、それぞれのガイドピース２１９ａが、上記のような回転に加えて、当該溝に沿った移動をすることが可能となり、ケーブルガイド２１９が全体として、伸縮・変形可能な構造のものとして形成される。
【０１１８】
次に、図１５を参照して、ケーブルガイド２１９が配置される位置について説明する。図１５は、キオスク端末２００を、キオスク端末２００の前方左斜め上方向から見た斜視図であり、上部フロントドア２１３の下側に位置する中部フロントドア２１４が、キオスク端末２００の前方向（図３に示す矢印Ｒ１の方向）に引き出され、取り外された状態が示されている。なお、図１５では、説明をわかりやすくするために、サイドパネルを除去した状態のキオスク端末２００を示している。
【０１１９】
ケーブルガイド２１９は、この例では、キオスク端末２００の筐体内部右側に配置されている。また、ケーブルガイド２１９は、中部フロントドア２１４から延びるスライドレール２１４ｅと、キオスク端末２００の筐体内部に保持された（スライドレール２１４ｅと嵌合する）レールガイド２１６に沿って、それらの内側に配置される。
【０１２０】
図１５では、キオスク端末２００の筐体内部をわかりやすく示すために、中部フロントドア２１４が取り外された状態を示しているが、通常の運用態様では、中部フロントドア２１４が最大引き出し位置まで引き出された場合、ケーブルガイド２１９が、その中部フロントドア２１４の移動に伴って変形することで中部フロントドア２１４に追従し、ケーブルガイド２１９に収納されているケーブル２１８を保護する。また、ケーブルガイド２１９が、伸縮可能な構造である場合、中部フロントドア２１４が最大引き出し位置まで引き出されると、当該ケーブルガイド２１９が、その中部フロントドア２１４の移動に伴って中部フロントドア２１４に向かって延び、ケーブル２１８を保護する。
【０１２１】
なお、図１５に示すキオスク端末２００は、下部フロントドア２１５の上面が露出された状態となっており、下部フロントドア２１５の上面に配置されている鍵穴２１５ａが現れている。
【符号の説明】
【０１２２】
２００  キオスク端末
２０６  ベゼル
２１３  上部フロントドア
２１４  中部フロントドア
２１５  下部フロントドア
２１９  ケーブルガイド
２３８  チケットプリンタ
２４０  紙葉処理装置
【図１】
2016151944.tif 000003
【図２】
2016151944.tif 000004
【図３】
2016151944.tif 000005
【図４】
2016151944.tif 000006
【図５】
2016151944.tif 000007
【図６】
2016151944.tif 000008
【図７】
2016151944.tif 000009
【図８】
2016151944.tif 000010
【図９】
2016151944.tif 000011
【図１０】
2016151944.tif 000012
【図１１】
2016151944.tif 000013
【図１２】
2016151944.tif 000014
【図１３】
2016151944.tif 000015
【図１４】
2016151944.tif 000016
【図１５】
2016151944.tif 000017